(57)【要約】【課題】装置全体の大型化を招くことなく、本体ユニットを支持部材に対し着脱可能でかつ所定の回転位置に保持可能な照明装置を提供する。【解決手段】光線を発光する発光部を備えた本体ユニット３と、この本体ユニット３を支持する支持部材２とを有する照明装置１において、支持部材２は、本体ユニット３を支持する支持軸５０を備え、本体ユニット３は、支持軸５０をその径方向へと貫入させ、当該貫入された支持軸５０に対し摩擦結合により回転可能に結合するクッション部材１００を備える。【選択図】図２
2007311313.tif 000002
【特許請求の範囲】
【請求項１】
光線を発光する発光部を備えた本体ユニットと、この本体ユニットを支持する支持部材とを有する照明装置において、
前記支持部材は、
前記本体ユニットを支持する支持軸を備え、
前記本体ユニットは、
前記支持軸をその径方向へと貫入させ、当該貫入された支持軸に対し摩擦結合により回転可能に結合する摩擦結合手段を備えることを特徴とする照明装置。
【請求項２】
請求項１記載の照明装置において、
前記摩擦結合手段は、
折りたたみ可能な構造に構成され、かつ、当該折りたたんだ状態において前記支持軸に対し少なくともその軸方向への摩擦力により摺接するように配置されていることを特徴とする照明装置。
【請求項３】
請求項２記載の照明装置において、
前記摩擦結合手段は、
前記支持軸に設けた鍔部のうち先端側に当接支持する１つの先端側凸部と、
前記折りたたみ状態で前記先端側凸部と略対向する側に配置され、前記鍔部のうち基端側に当接支持する奇数個の基端側凸部とを備えることを特徴とする照明装置。
【請求項４】
請求項２又は３記載の照明装置において、
前記摩擦結合手段は、
前記支持軸を貫入させるために当該貫入側に設けた開口部と、
貫入した前記支持軸を保持する保持部と、
前記保持部と前記開口部との間に位置し、前記保持部で保持される前記支持軸の前記開口部側への移動を防止する抜け止め部とを備えることを特徴とする照明装置。
【請求項５】
請求項４記載の照明装置において、
前記摩擦結合手段の前記保持部は、
前記支持軸をその径方向への摩擦力により摺接して保持することを特徴とする照明装置。
【請求項６】
請求項４又は５記載の照明装置において、
前記本体ユニットは、
前記摩擦結合手段を前記折りたたみ状態で収納する収納凹部を備えることを特徴とする照明装置。
【請求項７】
請求項６記載の照明装置において、
前記本体ユニットの前記収納凹部は、
収納された前記摩擦結合手段と前記支持軸との結合部が、前記本体ユニットの外部に露出しないように構成されていることを特徴とする照明装置。
【発明の詳細な説明】
【技術分野】
【０００１】
本発明は、光線の照射方向を変えることができる照明装置に関するものである。
【背景技術】
【０００２】
発光部よりある決まった所定の方向へ発光される光線を、使用者の用途やニーズに応じてその照射方向を変えられるようにした従来技術としては、例えば特許文献１記載のものがある。
【０００３】
この従来技術では、発光部を備えた本体ユニット（作業用電灯本体）とこれを支持する支持部材（支持台）とからなる照明装置において、本体ユニットの後端部外周側を金属製の嵌合部材の内周側（嵌合部）で嵌合固定している。そして、その嵌合部材の半円弧形状の外周側（支持体）を、これと合致した半円弧形状の支持部材（支持台）の凹部（支持部）の磁石で吸着固定することにより、支持部材に対し本体ユニットを回転可能かつ所定の回転位置で保持可能としている。
【０００４】
【特許文献１】特開２００３−３３１６４０号公報（段落番号００１６、図１６）
【発明の開示】
【発明が解決しようとする課題】
【０００５】
しかしながら、上記従来技術では、上述したように、略円筒形状である本体ユニットの外周側を嵌合部材の内周側で挟み込むように嵌合し（＝本体ユニットの着脱機能）、その嵌合部材の外周側を半円弧面（部分球面）どうしの磁力結合により支持台側に固定する（＝回転保持機能）構造である。すなわち、本体ユニットが回転可能に支持されるときに、本体ユニットの支持部材に対する着脱機能や回転保持機能を、上記回転の回転軸位置から外周側に離れた位置で実現する構造である（＝回転軸位置で実現していない）。このため、嵌合部材を介した本体ユニットと支持部材との接続構造が比較的大型となり、装置全体の小型化が困難となる。
【０００６】
本発明の目的は、装置全体の大型化を招くことなく、本体ユニットを支持部材に対し着脱可能でかつ所定の回転位置に保持可能な照明装置を提供することにある。
【課題を解決するための手段】
【０００７】
上記目的を達成するために、第１の発明は、光線を発光する発光部を備えた本体ユニットと、この本体ユニットを支持する支持部材とを有する照明装置において、前記支持部材は、前記本体ユニットを支持する支持軸を備え、前記本体ユニットは、前記支持軸をその径方向へと貫入させ、当該貫入された支持軸に対し摩擦結合により回転可能に結合する摩擦結合手段を備えることを特徴とする。
【０００８】
本願第１発明においては、本体ユニットに摩擦結合手段を設け、その摩擦結合手段で支持軸を径方向へ貫入させ、その貫入した支持軸に対し摩擦結合により回転可能に結合している。これにより、支持軸に対し本体ユニットを回転可能に構成するとともに上記摩擦結合における摩擦力により所望の角度位置において本体ユニットを保持可能となる。また固定構造や凹凸係合結合でなく摩擦結合であることから、当該摩擦力に打ち勝つ力を加えるだけで、本体ユニットを容易に支持部材に対して上記貫入方向から着脱することができる。
【０００９】
このようにして、本体ユニットの支持部材への着脱機能と、取り付け状態における本体ユニットの回転保持機能とを、回転軸である支持軸周りの摩擦力によって実現する構造とすることで、本体ユニット側と支持部材側とを部分球面どうしで磁力結合する場合に比べ、本体ユニットと支持部材との接続構造が比較的小さくなり、装置全体を小型化することができる。
【００１０】
第２の発明は、上記第１発明において、前記摩擦結合手段は、折りたたみ可能な構造に構成され、かつ、当該折りたたんだ状態において前記支持軸に対し少なくともその軸方向への摩擦力により摺接するように配置されていることを特徴とする。
【００１１】
折りたたんだ状態の摩擦結合手段が支持軸に対し少なくとも軸方向への摩擦力を作用させ、その軸方向への摩擦力によって本体ユニットの支持軸周りの回転を阻止し、所望の角度位置において本体ユニットを保持することができる。
【００１２】
第３の発明は、上記第２発明において、前記摩擦結合手段は、前記支持軸に設けた鍔部のうち先端側に当接支持する１つの先端側凸部と、前記折りたたみ状態で前記先端側凸部と略対向する側に配置され、前記鍔部のうち基端側に当接支持する奇数個の基端側凸部とを備えることを特徴とする。
【００１３】
鍔部の先端側に当接する先端側凸部により鍔部を支持するとともに、鍔部の基端側に当接する基端側凸部を上記先端側凸部と略対向する部位に設けることで、先端側凸部と基端側凸部とで鍔部を両側から挟みこむように支持することができる。このような挟み込み支持構造とすることにより、本体ユニットの支持部材への円滑な着脱機能を確保することができる。
【００１４】
また、支持軸のスラスト方向荷重を受ける先端側凸部を１個とするとともに、これと略対向する基端側凸部を奇数個とすることにより、上記先端側凸部と協働して挟み込むときの荷重を均一に分散支持することができる。この結果、所望の角度位置において本体ユニットを安定的に保持することができる。
【００１５】
第４の発明は、上記第２又は第３発明において、前記摩擦結合手段は、前記支持軸を貫入させるために当該貫入側に設けた開口部と、貫入した前記支持軸を保持する保持部と、前記保持部と前記開口部との間に位置し、前記保持部で保持される前記支持軸の前記開口部側への移動を防止する抜け止め部とを備えることを特徴とする。
【００１６】
本体ユニットを支持部材に取り付けるとき、支持部材の支持軸を摩擦結合手段の開口部から貫入させ、さらに抜け止め部を介し保持部へと到達させると、抜け止め部によって支持軸の開口部側への移動が防止される。この結果、本体ユニットの支持部材への円滑な取り付けと外れ防止とを図ることができる。
【００１７】
第５の発明は、上記第４発明において、前記摩擦結合手段の前記保持部は、前記支持軸をその径方向への摩擦力により摺接して保持することを特徴とする。
【００１８】
これにより、折りたたんだ状態の摩擦結合手段が支持軸に対し軸方向への摩擦力と径方向への摩擦力との両方を作用させ、それら摩擦力によって本体ユニットの支持軸周りの回転を確実に阻止して、所望の角度位置において本体ユニットを保持することができる。
【００１９】
第６の発明は、上記第４又は第５発明において、前記本体ユニットは、前記摩擦結合手段を前記折りたたみ状態で収納する収納凹部を備えることを特徴とする。
【００２０】
これにより、本体ユニットの支持部材への着脱が繰り返された場合であっても、収納凹部への収納状態での摩擦結合手段の支持軸軸方向への弛み拡がりが防止され確実に折りたたみ状態が維持されるので、支持軸に対し軸方向への摩擦力を確実に作用させ本体ユニットの角度保持機能を良好に維持することができる。また摩擦結合手段の保持部が支持軸に対し径方向への摩擦力を作用させる場合には、収納凹部への収納状態での摩擦結合手段の支持軸径方向への伸び拡がりも防止可能となり、この場合は支持軸に対し径方向への摩擦力も確実に作用させることができ、これによっても本体ユニットの角度保持機能を良好に維持することができる。
【００２１】
第７の発明は、上記第６発明において、前記本体ユニットの前記収納凹部は、収納された前記摩擦結合手段と前記支持軸との結合部が、前記本体ユニットの外部に露出しないように構成されていることを特徴とする。
【００２２】
これにより、結合部を外部より視認できないようにすることができる。
【発明の効果】
【００２３】
本発明によれば、装置全体の大型化を招くことなく、本体ユニットを支持部材に対し着脱可能でかつ所定の回転位置に保持可能とすることができる。
【発明を実施するための最良の形態】
【００２４】
以下、本発明の一実施の形態を図面を参照しつつ説明する。
【００２５】
図１は、本実施形態の照明装置の全体外観構造を表す斜視図である。この図１において、本実施形態の照明装置１は、取り付け対象（例えばガラスケースや金属壁面等）に取り付けるための支持部材２と、この支持部材２に対し回転可能かつ着脱可能（詳細は後述）に指示される本体ユニット３とを備えている。
【００２６】
図２は、上記照明装置１の詳細構造を表す縦断面図であり、図３はその分解図である。これら図２及び図３において、支持部材２は、上記取り付け対象に取り付けられる略中空円盤形状（中心線ｋ）の取付部１０と、この取付部１０の略円盤形状の周方向１箇所から軸方向に突出するように配設されたアーム部１１と、このアーム部１１より前述の中心線ｋに向かって突出するように設けられた支持軸５０とを有している。
【００２７】
取付部１０は、その内周側の径方向中心（中心線ｋを含む）に内ねじ部１２Ａを備えた螺合部１２と、この螺合部１２の外周側に凹設された略円形の凹部１３とを備えている。この凹部１３は、磁石１４を内周側に収納した磁石ケース１５が格納され、さらに磁石１４及び磁石ケース１５それぞれの径方向中央部に設けた貫通孔１４Ａ，１５Ａにねじ１６が貫通されて上記螺合部１２に締結されることにより、磁石１４及び磁石ケース１５が一体となって取付部１０に固定される。
【００２８】
この磁石１４の磁力により、取付部１０は、金属であればそのまま吸着固定により取り付けることができる。またガラスケースの壁面等の非金属に取り付ける場合には、その非金属を挟んで取付部１０と反対側（あるいは同じ側でもよい）に金属物（又は磁石）を別途取り付け、磁石１４による当該金属物（又は磁石）への吸着力によって取付部１０を取り付けることができる。
【００２９】
図４は、本体ユニット３の詳細構造を表す図２の部分拡大図である。この図４、前述の図２及び図３において、本体ユニット３は、電球や発光素子等の適宜の発光手段（図示せず）を備えた発光部（ライト）を内蔵し外周面にフィン形状の放熱部２０Ａを形成した本体ケース２０と、この本体ケース２０の開口側に位置する取り付け段部２０Ｂに固定される略円筒形状のライト押えカバー２１と、このライト押えカバー２１の上記略円筒形状の内周側に配置され、上記発光部から発光された光線を集光する集光用の集光レンズ（１次レンズ）２３と、上記ライト押えカバー２１の外周側に設けた外ねじ部２１Ａに螺合する内ねじ部２４Ａを内周側に備え、上記集光レンズ２３の先端側外縁の段付部２３Ａに係合する係合部２４Ｂを先端側に備えた集光レンズ押えカバー２４と、上記集光レンズ２３で集光された光線を使用者の所望の態様（照射位置、照射角度）で出射するための出射レンズ（２次レンズ、演出用レンズ）２５と、この出射レンズ２５と上記集光レンズ２３との間（詳細には出射レンズ２５に設けた円環状凹部２５Ｂ、後述の図７（ｂ）も参照）に介在配置される、光線を彩色するためのフィルター２６と、上記集光レンズ押えカバー２４の外周側に設けた外ねじ部２４Ｃに螺合する内ねじ部２７Ａを内周側に備え、上記出射レンズ２５をその先端側に係合する出射レンズ押えカバー２７とを備えている。
【００３０】
図５は図４の要部構造を表す抽出拡大縦断面図であり、図６（ａ）は集光レンズ２３の詳細構造を表す図４の部分抽出縦断面図であり、図６（ｂ）は図６（ａ）中Ａ方向からの矢視正面図であり、図７（ａ）は出射レンズ２５の詳細構造を表す図４の部分抽出縦断面図であり、図７（ｂ）は図７（ａ）中Ｂ方向からの矢視正面図である。
【００３１】
これら図５、図６、及び図７において、上記本体ケース２０の取り付け段部２０Ｂにライト押えカバー２１はこの例では使用者が取り外し不能に固定されており、またこのライト押えカバー２１の外ねじ部２１Ａと集光レンズ押えカバー２４の内ねじ部２４Ａとの螺合についても、この例では使用者による螺合の解除が不能とされている。この結果、本体ケース２０、ライト押えカバー２１、集光レンズ２３、及び集光レンズ押えカバー２４は半永久的に一体的に結合されることとなっている。
【００３２】
これに対し、上記集光レンズ押えカバー２４の外ねじ部２４Ｃと出射レンズ押えカバー２７の内ねじ部２７Ａとの螺合は使用者による解除が可能である。すなわち、この螺合を緩めることにより使用者は出射レンズ押えカバー２７を集光レンズ押えカバー２４より取り外せるようになっている。この結果、上記フィルタ２６を複数種類用意し取り替えて使用することで種々の色彩やその他の態様の光線を使用者のニーズに合わせて実現することができる。また同様に、出射レンズ２５についても使用者のニーズに合わせて交換可能となっている。
【００３３】
図４及び図３に戻り、本体ケース２０のうち上記アーム部１１側には凹部（収納凹部）２８が設けられており、この凹部２８に、上記支持軸５０及びその先端側に設けた（この例では略円板形状の）鍔部５１を貫入させて結合するためのクッション部材（摩擦結合手段）１００が収納配置されている。
【００３４】
図８は、上記クッション部材１００の詳細構造（折り畳み状態）を表す側面図であり、図９はその展開状態図を表す図であり、図１０は図９中Ｃ方向から見た矢視上面図である。これら図８、図９、及び図１０において、クッション部材１００は例えばポリエステルエラストマー等の弾性と耐熱性とを兼ね備えた材料で構成されており、先端側凸部１００ａを備えた底部１００Ａ、この底部１００Ａに対し、略Ｖ字形状の切れ込み１０１で形成した細首連結部１００Ｂを介した連節構造で設けられた側部１００Ｃと、この側部１００Ｃに対し、略Ｖ字形状の切れ込み１０１で形成した細首連結部１００Ｄを介した連節構造で設けられ、奇数個（この例では３個）の基端側凸部１００ｂを備えた頂部１００Ｅとを有している。そして、上記切れ込み１０１により形成された細首連結部１００Ｂ，１００Ｄにより、図９に示した展開状態から図８に示すように折りたたみ可能な構造となっている。
【００３５】
先端側凸部１００ａは、支持軸５０の上記鍔部５１の先端側に当接支持するように底部１００Ａに１つ設けられており、頂部１００Ｅのうち図８に示す折りたたみ状態でその先端側凸部１００ａと略対向する側に３つの上記基端側凸部１００ｂが設けられ、上記鍔部５１の基端側に当接支持するようになっている。なお、これら基端側凸部１００ｂと先端側凸部１００ａとが（支持軸５０の軸方向に沿って）完全に対向してしまうと、鍔部５１が底部１００Ａと頂部１００Ｅとの間に入り込めなくなる（又は入りこみにくくなる）ため、厳密に完全には対向せずに若干ずれた位置であることが望ましい。
【００３６】
このとき、図１０に示すように、上記頂部１００Ｅは、支持軸５０を貫入させるために当該貫入側に設けた開口部１０２と、貫入した支持軸５０を保持する一部欠落円形形状の保持部１０３と、この保持部１０３と開口部１０２との間に位置し、保持部１０３で保持される支持軸５０の開口部１０２側への移動を防止する抜け止め部（首部）１０４とを備えている。
【００３７】
このとき、各部の寸法関係は、支持軸５０の外径ｄ（図４参照）に対し、開口部１０２の幅Ｗ１はほぼｄに等しくなっている一方、抜け止め部１０４の幅Ｗ２はｄよりも若干（例えば０．２〜０．３ｍｍ程度）小さくなっている。また保持部１０３の内径Ｄは上記ｄにほぼ等しくなっている。このような寸法関係により、外径ｄの支持軸５０を貫入させるとき、抜け止め部１０４の幅Ｗ２との差が比較的小さいことから、クッション部材１００の頂部１００Ｅをそれほど大きく変形させなくても保持部１０３へと貫入させることができる。
【００３８】
その一方、保持部１０３の内径Ｄが支持軸５０の外径ｄと等しいことから、図８や図４に示す折りたたみ状態において、保持部１０３の内径部が支持軸５０の外径部に摺接するようになっている（＝支持軸５０を径方向への摩擦により摺接保持する）。またこのとき、図８や図４に示すように、折りたたみ状態のクッション部材１００は、その先端側凸部１００ａと基端側凸部１００ｂが支持軸５０の鍔部５に支持軸軸方向から摺接するようになっている（＝支持軸５０を軸方向への摩擦により摺接保持する）。これらの作用の結果、クッション部材１００は、保持部１０３へと貫入された支持軸５０を摩擦結合により回転可能に支持するとともに、支持軸５０を所望の回転位置において保持することもできる。
【００３９】
以上説明したように、本実施形態の照明装置１においては、本体ユニット３にクッション部材１００を設け、そのクッション部材１００で支持軸５０を径方向へ貫入させ、その貫入した支持軸５０に対し摩擦結合により回転可能に結合している。これにより、支持軸５０に対し本体ユニット３を回転可能に構成するとともに上記摩擦結合における摩擦力により所望の角度位置において本体ユニット３を保持可能となる。また固定構造や凹凸係合結合でなく摩擦結合であることから、当該摩擦力に打ち勝つ力を加えるだけで、本体ユニット３を容易に支持部材２に対して上記貫入方向から着脱することができる。
【００４０】
このようにして、本体ユニット３の支持部材２への着脱機能と、取り付け状態における本体ユニット３の回転保持機能とを、回転軸である支持軸５０周りの摩擦力によって実現する構造とすることで、本体ユニット側と支持部材側とを部分球面どうしで磁力結合する場合に比べ、本体ユニット３と支持部材２との接続構造が比較的小さくなり、装置全体を小型化することができる。
【００４１】
また本実施形態では特に、鍔部５１の先端側に当接する先端側凸部１００ａにより鍔部５１を支持するとともに、鍔部５１の基端側に当接する基端側凸部１００ｂを上記先端側凸部１００ａと略対向する部位に設けることで、先端側凸部１００ａと基端側凸部１００ｂとで鍔部５１を両側から挟みこむように支持することができる。このような挟み込み支持構造とすることにより、本体ユニット３の支持部材２への円滑な着脱機能を確保することができる。
【００４２】
また本実施形態では特に、支持軸５０のスラスト方向荷重を受ける先端側凸部１００ａを１個とするとともに、これと略対向する基端側凸部１００ｂを奇数個（この例では３個）とすることにより、上記先端側凸部１００ａと協働して挟み込むときの荷重を均一に分散支持することができる。この結果、所望の角度位置において本体ユニット３を安定的に保持することができる。
【００４３】
また本実施形態では特に、クッション部材１００の頂部１００Ｅに抜け止め部１０４が設けられていることにより、本体ユニット３を支持部材２に取り付けるとき、支持部材２の支持軸５０をクッション部材１００の開口部１０２から貫入させ、さらに抜け止め部１０４を介し保持部１０３へと到達させると、抜け止め部１０４によって支持軸５０の開口部１０２側への移動が防止される。この結果、本体ユニット３の支持部材２への円滑な取り付けと外れ防止とを図ることができる。またこのとき、保持部１０３の内径Ｄが支持軸５０の外径ｄにほぼ等しくなっていることにより、折りたたんだ状態のクッション部材１００は支持軸５０に対し軸方向への摩擦力のみならず径方向への摩擦力も作用させて、それら両方の摩擦力によって本体ユニット３の支持軸５０周りの回転を確実に阻止し、所望の角度位置において本体ユニット３を保持することができる。
【００４４】
また本実施形態では特に、本体ユニット３が、クッション部材１００を折りたたみ状態で収納する凹部２８を備えていることにより、本体ユニット３の支持部材２への着脱が繰り返された場合であっても、凹部２８への収納状態でのクッション部材１００の支持軸５０軸方向への弛み拡がりが防止され確実に折りたたみ状態が維持されるので、支持軸５０に対し軸方向への摩擦力を確実に作用させ本体ユニット２の角度保持機能を良好に維持することができる。また本実施形態では上記のようにクッション部材１００の保持部１０３が支持軸５０に対し径方向への摩擦力を作用させるが、凹部２８への収納状態ではクッション部材１００の支持軸５０径方向への伸び拡がりも防止できるので、支持軸５０に対し径方向への摩擦力も確実に作用させることができ、これによっても本体ユニット３の角度保持機能を良好に維持することができる。
【００４５】
また上記のような凹部２８に収納されたクッション部材１００を用いて支持部材２と本体ユニット３とを結合することで、その結合部が本体ユニット３の外部に露出しないように構成することができ、結合部を外部より視認できないようにすることができる。
【００４６】
なお、上記実施形態においては、図１０に示したようにクッション部材１００の保持部１０３の内径Ｄを支持軸５０の外径ｄにほぼ等しくし、折りたたんだ状態のクッション部材１００が支持軸５０に対し軸方向への摩擦力のみならず径方向への摩擦力も作用させるようにしたが、これに限られず、軸方向のみの摩擦力のみを作用させるようにしてもよい。
【００４７】
図１１は、そのようなクッション部材１００の変形例の展開状態を表す上面図であり、先に述べた図１０に相当する図である。図１０と同等の部分には同一の符号を付し、説明を省略又は簡略化する。
【００４８】
図１１において、この変形例のクッション部材１００では、各部の寸法関係は、支持軸５０の外径ｄ（図４参照）に対し、抜け止め部１０４の幅Ｗ２′はｄよりもかなり（例えば０．４〜０．５ｍｍ程度）小さく、その一方で開口部１０２の幅Ｗ１′はｄよりも大きくなっている。また保持部１０３の内径Ｄ′も、上記ｄよりも大きくなっている。このような寸法関係により、外径ｄの支持軸５０を貫入させるとき、抜け止め部１０４の幅Ｗ２′との差が比較的大きいことから、クッション部材１００の頂部１００Ｅを大きく変形させないと（力をかなり加えないと）保持部１０３へと貫入させることができないようになっている。
【００４９】
その一方、保持部１０３の内径Ｄ′が支持軸５０の外径ｄよりも大きいことから、図８や図４に示す折りたたみ状態において、保持部１０３の内径部が支持軸５０の外径部に摺接することはなく、支持軸５０に対し径方向への摩擦は作用しない。したがって、支持軸５０に対しての摩擦力は、クッション部材１００の先端側凸部１００ａと基端側凸部１００ｂが鍔部５に対し支持軸５０の軸方向に摺接することによってのみ作用し、その摩擦により支持軸５０を摺接保持する。この結果、クッション部材１００は、保持部１０３へと貫入された支持軸５０をその摩擦結合により回転可能に支持し、支持軸５０を所望の回転位置において保持できるようになっている。この結果、本変形例においても、上記実施形態とほぼ同様の効果を得ることができる。
【００５０】
その他、一々例示はしないが、本発明は、その趣旨を逸脱しない範囲内において、種々の変更が加えられて実施されるものである。
【図面の簡単な説明】
【００５１】
【図１】本発明の一実施形態の照明装置の全体外観構造を表す斜視図である。
【図２】図１に示した照明装置の詳細構造を表す縦断面図である。
【図３】図１に示した照明装置の分解図である。
【図４】本体ユニットの詳細構造を表す図２の部分拡大図である。
【図５】図４の要部構造を表す抽出拡大縦断面図である。
【図６】集光レンズの詳細構造を表す図４の部分抽出縦断面図、及び図６（ａ）中Ａ方向からの矢視正面図である。
【図７】出射レンズの詳細構造を表す図４の部分抽出縦断面図、及び図７（ａ）中Ｂ方向からの矢視正面図である。
【図８】クッション部材の詳細構造（折り畳み状態）を表す側面図である。
【図９】クッション部材の詳細構造（展開状態）を表す側面図である。
【図１０】図９中Ｃ方向から見た矢視上面図である。
【図１１】クッション部材の変形例の展開状態を表す上面図である。
【符号の説明】
【００５２】
１                照明装置
２                支持部材
３                本体ユニット
２８              凹部（収納凹部）
５０              支持軸
５１              鍔部
１００            クッション部材（摩擦結合手段）
１００ａ          先端側凸部
１００ｂ          基端側凸部
１０２            開口部
１０３            保持部
１０４            抜け止め部
【図１】
2007311313.tif 000003
【図２】
2007311313.tif 000004
【図３】
2007311313.tif 000005
【図４】
2007311313.tif 000006
【図５】
2007311313.tif 000007
【図６】
2007311313.tif 000008
【図７】
2007311313.tif 000009
【図８】
2007311313.tif 000010
【図９】
2007311313.tif 000011
【図１０】
2007311313.tif 000012
【図１１】
2007311313.tif 000013